(57)【要約】【課題】前部に光ファイバフェルールが配置され、後部に接続しようとする光ファイバ心線の被覆層を載置する被覆層用溝と裸光ファイバを戴置する裸光ファイバ用溝とが形成された接続基盤と、前記被覆層用溝と裸光ファイバ用溝とを覆う蓋と、蓋を接続基盤側に押付ける押圧部材とを含み、蓋と接続基盤との接合面の一方の側面に楔挿入スリットが形成された光コネクタにおいて、光ファイバ心線径が太くなると、楔挿入側で被覆層用溝とその上を覆う蓋との間隔が大きくなり、裸光ファイバが被覆層用溝から外れて、裸光ファイバを裸光ファイバ用溝に正しく配置させることが困難であった。【解決手段】被覆層用溝の楔挿入側に上方に突出するガイド壁を形成したことを特徴とする。この結果、裸光ファイバはそのガイド壁により楔挿入スリット側にはみ出すことが抑えられ、前記課題を解決することができる。【選択図】  図１
2007101769.tif 000002
【特許請求の範囲】
【請求項１】
前部に内蔵光ファイバが埋め込まれた光ファイバフェルールが配置され、後部に接続しようとする光ファイバ心線の被覆層を載置する被覆層用溝が形成され、光ファイバフェルールと被覆層用溝との間に前記光ファイバ心線の裸光ファイバを戴置する裸光ファイバ用溝が形成された接続基盤と、前記被覆層用溝と裸光ファイバ用溝とを覆う蓋と、この蓋を接続基盤側に押付ける押圧部材とを含み、前記被覆層用溝が裸光ファイバ用溝よりも幅広で深く構成され、蓋と接続基盤との接合面の一方の側面に楔挿入スリットが形成された光コネクタにおいて、楔挿入側に被覆層用溝に沿って上方に突出するガイド壁が形成されたことを特徴とする光コネクタ。
【請求項２】
裸光ファイバ用溝の楔挿入側に、被覆層用溝の側面に形成されたガイド壁と連続して上方に突出するガイド壁が形成されたことを特徴とする請求項１に記載の光コネクタ。
【請求項３】
被覆層用溝は光ファイバ挿入部がテーパ状に拡径され、そのテーパ状の溝の外側にガイド壁がテーパ部分と距離をおいて形成されたことを特徴とする請求項１または請求項２に記載の光コネクタ。
【請求項４】
被覆層用溝と裸光ファイバ用溝とは溝幅がテーパを持って連接され、そのテーパの面が溝の中心軸に対して３０度以下に形成されたことを特徴とする請求項１乃至請求項３の何れか１に記載の光コネクタ。
【請求項５】
ガイド壁は、後部から前部に向かうにつれて被覆層用溝に近づくことを特徴とする請求項１乃至請求項４のいずれか１に記載の光コネクタ。
【請求項６】
ガイド壁は、後部から前部に向かうにつれて被覆層用溝に近づく角度が被覆層用溝の中心軸に対して３０度以下であることを特徴とする請求項５に記載の光コネクタ。
【請求項７】
ガイド壁の高さは溝の上部から３００μｍ以上であることを特徴とする請求項１乃至請求項６の何れか１に記載の光コネクタ。
【請求項８】
蓋の内側にガイド壁を収納する窪みが形成されたことを特徴とする請求項１乃至請求項７の何れか１に記載の光コネクタ。
【請求項９】
接続基盤と蓋とを組み立てた状態においてガイド壁と窪みの間に形成される
隙間の大きさが高さ方向に１００μｍ以下、幅方向に５０μｍ以下であることを
特徴とする請求項８に記載の光コネクタ。
【発明の詳細な説明】
【技術分野】
【０００１】
本発明は、光コネクタ、特に現地組立可能な光コネクタに関するものである。
【背景技術】
【０００２】
近年、ＦＴＴＨ(Fiber To The Home)等の普及によって光通信網が一般家庭などで多く用いられるようになって来た。これに伴い、接続現場で無電源、無研磨によって光コネクタを組み立て、光ファイバを接続するメカニカルスプライス型の光コネクタが用いられるようになってきた。（例えば、特許文献１〜５参照）
【０００３】
図７〜図９はこの種のメカニカルスプライス型の光コネクタの一例を示したものである。
このメカニカルスプライス型の光コネクタは、図７に示すように、前部１１に内蔵光ファイバ２１が埋め込まれたフェルール２０が配置され、後部１２に接続しようとする光ファイバ心線の被覆層を載置する被覆層用溝１３が形成され、フェルール２０と被覆層用溝１３との間にそれらを結ぶように前記光ファイバ心線の裸光ファイバ（光ファイバ素線）を戴置する裸光ファイバ用溝１４が形成された接続基盤１０と、前記被覆層用溝１３を覆う被覆層用蓋３１と、裸光ファイバ用溝１４を覆う裸光ファイバ用蓋３２と、被覆層用蓋３１と裸光ファイバ用蓋３２とを接続基盤１０側に押付ける押圧部材４０とを含み、前記被覆層用溝１３が裸光ファイバ用溝１４よりも幅広で且つ深く構成され、接続基盤１０と被覆層用蓋３１との一方の接合面又は両方、及び接続基盤１０と裸光ファイバ用蓋３２との一方の接合面又は両方における一方の側面に楔挿入用切欠部１５・３３が形成された接続パーツ５０（図８参照）と、図８に示すように、押圧部材４０を覆い押圧部材４０とスライド可能なストップリング６０と、ストップリング６０の内側に配置されて接続パーツ５０を所定の力で前方に押圧するスプリング７０と、鍔部１６を覆うプラグフレーム８０と、その外側に配置されプラグフレーム８０とスライド可能に構成されたスライダ９０（図９参照）等で構成されている。
【０００４】
メカニカルスプライス部は、接続基盤１０に形成された被覆層用溝１３・裸光ファイバ用溝１４部分、蓋３０、及び押圧部材４０とで構成される。
【０００５】
押圧部材４０は、裸光ファイバ用蓋３２を接続基盤１０側に押付ける裸光ファイバ用押圧部材４２と、被覆層用蓋３１を接続基盤１０側に押付ける被覆層用押圧部材４１とで構成されている。被覆層用押圧部材４１・裸光ファイバ用押圧部材４２は、ステンレス材のように鋼性を有する板状のものが断面Ｃの字型やコの字型に加工され、側面の一部にそれぞれ開口部４１'、４２'が形成された構造になっている。
被覆層用押圧部材４１・裸光ファイバ用押圧部材４２の開口部４１'・４２'からは、被覆層用蓋３１・裸光ファイバ用蓋３２を被覆層用溝１３及び裸光ファイバ用溝１４上に被せた時に、接続基盤１０と蓋３０との合わせ面を臨むことができるように取付けられる。更に、前記臨むことができる合わせ面の蓋３０と接続基盤１０の側面には、図８に示すように、前記切欠部１５・３３によって形成される楔挿入スリットが形成され、この楔挿入スリットに楔１００の差込部１０１を前記押圧部材４０の押圧力に逆らって差し込むことによって、接続基盤１０と蓋３０との接合面の間隔を広げることができるようになっている
【０００６】
フェルール２０は、内部に内蔵光ファイバ２１が配置され、且つ接続基盤１０の鍔部１６部分に予め工場などでその一端２２が埋め込まれて配置され、フェルール２０から露出した内蔵光ファイバ２１が接続基盤１０の裸光ファイバ用溝１４上に載置されている。またフェルール２０の他端はその端面と一致するように予め工場などで内蔵光ファイバ２１の端面がフェルール２０の端面とともに鏡面研磨されている。
【０００７】
ストップリング６０は、組み立てたときに、前記押圧部材４０の開口部４１'・４２'をストップリングの側面から臨むことができるように、側面に開口６１が形成されている。
【０００８】
このような光コネクタは、予め、蓋３０を被覆層用溝１３及び裸光ファイバ用溝１４の上に被せて、押圧部材４０の締付力で蓋３０と接続基盤１０との両者を所定の力で押し付けた状態の接続パーツ５０を完成させ、スプリング７０を接続パーツ５０の後端側の小径部分に配置させ、プラグフレーム８０を接続パーツ５０上に被せ、ストップリング６０をプラグフレーム８０内に嵌め込まれて構成される。
【０００９】
これによりストップリング６０は、図９に示すように、ストップリング６０の外周に形成された係合突起６２がプラグフレーム８０の外周部に形成された係合貫通孔８１に嵌め込まれ、内部に接続パーツ５０を内包した状態でプラグフレーム８０と一体構造になったものが構成される。この際、ストップリング６０の外周に形成された開口６１は、押圧部材４０の開口部４１'・４２'及び接続基盤１０と蓋３０との合わせ面に形成された切欠部１５・３３とが一致するように組み立てられる。またスプリング７０は圧縮状態でストップリング６０内に配置され、接続パーツ５０を前方（フェルール２０側）に押し付けている。
【００１０】
このような光コネクタを用いて接続現場で光ファイバ心線（コード）を接続するには、光ファイバ心線（コード）の端部の樹脂被覆層を剥ぎ取って裸光ファイバを露出させた後、光ファイバ切断器により、端面を鏡面端面に形成した一定長の裸光ファイバを露出させる。
【００１１】
次に、前記により予め組み立てられたストップリングの開口６１及び押圧部材４０の開口部４１'・４２'を通じて楔１００の差込部１０１を、切欠部１５・３３に押圧部材４０の押圧力に逆らって差し込む。これにより、接続基盤１０と蓋３０との間隔が一定長広げられ、接続基盤１０と蓋３０との合わせ面で形成される空間が広げられる。
【００１２】
この状態でストップリング６０の後端側から裸光ファイバが一定長露出された光ファイバ心線（コード）を被覆層用溝１３及び裸光ファイバ用溝１４に沿って差し込み、裸光ファイバを裸光ファイバ用溝１４に、樹脂被覆層を被覆層用溝１３上に配置させると共に、裸光ファイバ用溝１４上で裸光ファイバの端面と内蔵光ファイバ２１の端面と接触させ、更にこの状態で楔１００を切欠部１５・３３（スリット)から抜き去る。
この際、裸光ファイバの端面あるいは内蔵光ファイバ２１の接触端面には無色透明・グリス状の屈折率整合剤が予め配置されており、両光ファイバの端面が互いに接触したときに光の反射を低減するようにして光学的接続が成される。これにより、裸光ファイバ用溝１４上に載置された裸光ファイバは、蓋３０によって裸光ファイバ用溝１４上に押し付けられて固定・保持されるとともに、裸光ファイバと内蔵光ファイバ２１とは裸光ファイバ用溝１４上で光学的に接続される。
次に、スライダ９０をプラグフレーム８０側から被せ、内蔵光ファイバ２１と光ファイバ心線（コード）とを光学的に接続させた光コネクタが完成する。
【００１３】
このように構成された光コネクタは、フェルール２０が、接続アダプタ１１０の一端１１１から割スリーブ１１２内に挿入され、接続アダプタ１１０の他端１１３側から割スリーブ１１２内に挿入された他方の光コネクタ又は他端側に配置されたその他の光学部品と光接続が成される。この際、接続アダプタ１１０内に形成された係合突起１１４がプラグフレーム８０の外周に形成された係合凹部８２に嵌め込まれ、光コネクタが接続アダプタ１１０から抜けるのを防止される。また、この嵌め込みの係合はスライダ９０を接続アダプタ１１０から離れる方向に引くことによって解除し、光コネクタを接続アダプタ１１０から引き抜くことができるようになっている。
【００１４】
なお、上記の説明はＳＣコネクタ型の部品構成や接続方法を例にしているが、本発明はＳＣコネクタ型に限らず他のコネクタ形状や接続形式にも適用できるものである。
【００１５】
【特許文献１】特開平１０−２０６６８８号公報
【特許文献２】特開平１１−１４２６８６号公報
【特許文献３】特開平１１−１４２６８７号公報
【特許文献４】特開平１１−１６０５６３号公報
【特許文献５】特開２０００−３４７０６８号公報
【発明の開示】
【発明が解決しようとする課題】
【００１６】
従来の構造の光コネクタにおいては、光ファイバ心線径が例えば０．５ｍｍφや０．９ｍｍφと大径化した場合の設計が困難である。その理由を以下に説明する。
光ファイバ心線は、裸光ファイバが石英ガラスを主成分とする高い強度を持つが、裸光ファイバに施された被覆はある程度の柔軟性・伸縮性を持つ。このため、上記メカニカルスプライス型の光コネクタにおいて、光ファイバ被覆固定部に一定の把持力を持たせるためには、光ファイバ被覆を被覆層用溝内で一定量以上つぶして把持する必要がある。例えば従来例では０．２５ｍｍφ心線における被覆把持において１０〜１５μｍ程度の被覆つぶし量を設定することで、心線部の引っ張り力に対する把持強度を確保している。
【００１７】
ところで、光ファイバ心線径が大きくなるに従って、光ファイバ被覆の厚みが増大する。裸光ファイバの径を１２５μｍφとすると、例えば０．２５ｍｍφ心線の場合の被覆厚は６２．５μｍであるのに対して、０．５ｍｍφ心線では１８７．５μｍ、０．９ｍｍφ心線では３８７．５μｍにも達する。これに伴い、光ファイバ被覆部の柔軟性・伸縮性もより高くなる。すなわち、０．２５ｍｍφ心線における場合と同等の把持強度を得るためには、０．５ｍｍφ心線や０．９ｍｍφ心線ではより大きな被覆つぶし量を設定する必要がある。また、被覆部外径が大きくなるにつれて、一般に外径公差も大きくなるが、最小限の把持強度を確保するためには、該当する径の心線について公差上許容される最も径の小さいものが使用された場合でも最低限の被覆つぶし量を確保する設計とすることが望ましい。
【００１８】
一方、メカニカルスプライス時に被覆層用溝１３と被覆層用蓋３１とで形成される光ファイバ配置孔に光ファイバが確実に挿入されるためには、該当する径の光ファイバ心線について公差上最も大きい径のものが抵抗なく通過できるだけの大きさの開口が必要である。すなわち、光ファイバ心線径が増大するに伴って、メカニカルスプライス部における被覆層用蓋３１の開口は飛躍的に大きく設定しなければならなくなる。
【００１９】
上記の理由により被覆層用蓋の開口を大きくしていくと、裸光ファイバが適切に裸光ファイバ用溝１４に配置されず、接続ができなくなるという問題が発生する。これを図１０により説明する。図１０は、0.25ｍｍφ心線用のメカニカルスプライス型コネクタの被覆層用蓋３１の設計を説明したものである。0.25ｍｍφ心線の外径公差を±0.01ｍｍとすると、最小外径である0.24ｍｍφの場合について、必要な被覆つぶし量t（例えば１５μｍ）を確保する必要がある（図１０イ）。被覆層用蓋３１を閉じることにより、光ファイバ心線Ｆの被覆が接続基盤１０の裸光ファイバ用溝１４および被覆層用蓋３１に接する３点においてつぶれる（図１０ロ）。図１０イと図１０ロに示すように、公差最小時のつぶし量を確保、すなわち光ファイバ心線の被覆部の把持力を確保するように被覆層用溝３１または被覆層収容窪み３５の深さを設計しなければならない。
【００２０】
前述のように、公差最大の場合でも光ファイバ心線Ｆが抵抗なく挿入できなければならないため、0.26ｍｍφの光ファイバ心線Ｆが通過可能なように開口を設計する（図１０ハ）。なお、実際には開口の大きさの設計は接続基盤１０もしくは被覆層用蓋３１に形成された楔挿入スリットの深さによって調整する。図１０イ―図１０ハの手順により設計した被覆層用溝１３に裸光ファイバｆを挿入した状態を示したのが図１０ニである。図からわかるように、0.125ｍｍφの裸光ファイバｆは被覆層用溝１３の外にこぼれることがない。
【００２１】
続いて、0.5ｍｍφ心線用の設計について図１１により説明する。0.25ｍｍφ用の場合と同様に、公差最小径の場合について被覆つぶし量を確保する設計とする(図１１イ、図１１ロ）。
【００２２】
なお、0.5ｍｍφ心線の被覆層の外径公差は±0.03ｍｍ程度が想定されるため、外径0.47ｍｍの場合でも十分な把持力を持つことが必要である。また被覆の厚みが0.25ｍｍφに比べて増大しているため、同等の把持力を持たせるためにはより大きな被覆つぶし量ｔ（例えば３０μｍ）が必要である（図１１イ）。
続いて、被覆最大径として0.53ｍｍφの光ファイバ心線Ｆが通過可能なように開口を設計する（図１１ハ）。すると、図１１ニに示したように、裸光ファイバｆが被覆層用溝１３から簡単にこぼれてしまうことが判る。
【００２３】
被覆層用溝１３から外れた裸光ファイバｆは、より開口の大きい楔挿入側に向かって抵抗なく進行してしまう。また、メカニカルスプライス型コネクタでは一般的に裸光ファイバｆの先端がコネクタ内のどの位置にあるかを直接目視確認することができないため、裸光ファイバｆが被覆層用溝１３から外れていることを認知することは難しい。このため、裸光ファイバｆが被覆層用溝１３から外れた状態のままで楔を除去してしまい、コネクタの組立に失敗する可能性が高いことの課題があった。
【課題を解決するための手段】
【００２４】
本発明は、かかる点に鑑みなされたもので、前部に内蔵光ファイバが埋め込まれた光ファイバフェルールが配置され、後部に接続しようとする光ファイバ心線の被覆層を載置する被覆層用溝が形成され、光ファイバフェルールと被覆層用溝との間に前記光ファイバ心線の裸光ファイバを戴置する裸光ファイバ用溝が形成された接続基盤と、前記被覆層用溝と裸光ファイバ用溝とを覆う蓋と、この蓋を接続基盤側に押付ける押圧部材とを含み、前記被覆層用溝が裸光ファイバ用溝よりも幅広で深く構成され、蓋と接続基盤との接合面の一方の側面に楔挿入スリットが形成された光コネクタにおいて、楔挿入側に被覆層用溝に沿って上方に突出するガイド壁が形成されたことを特徴とする。
【発明の効果】
【００２５】
本発明の構造により、例えば０．５ｍｍφや０．９ｍｍφの大径の光ファイバ心線に対しても、裸光ファイバがメカニカルスプライス部で裸光ファイバ用溝を逸脱することなく、確実に組み立てをすることができるメカニカルスプライス型コネクタを提供することができる。
【発明を実施するための最良の形態】
【００２６】
本発明は以下の種々の実施形態を採用することができる。
【００２７】
裸光ファイバ用溝の楔挿入側に、被覆層用溝の側面に形成されたガイド壁と連続して上方に突出するガイド壁が形成されたことを特徴とする。これにより、裸光ファイバの先端がより確実に裸光ファイバ用溝に誘導される。
【００２８】
被覆層用溝は光ファイバ挿入部がテーパ状に拡径され、そのテーパ状の外側にガイド溝がそのテーパに沿って形成されたことを特徴とする。これにより、光ファイバ心線の被覆層用溝への挿入が容易に行うことができる。
【００２９】
被覆層用溝と裸光ファイバ用溝とは溝幅がテーパを持って連接され、そのテーパが被覆層用溝の中心軸に対して３０度以下に形成されたことを特徴とする。これにより、裸光ファイバの先端が裸光ファイバ用溝により確実に誘導される。
【００３０】
ガイド壁は、後部から前部に向かうにつれて被覆層用溝に近づくことを特徴とする。これによって、後部のテーパ状部において被覆層用溝を外れた裸光ファイバをも確実に裸光ファイバ用溝に誘導することができる。
【００３１】
ガイド壁は、後部から前部に向かうにつれて被覆層用溝に近づく角度が被覆層用溝の中心軸に対して３０度以下であることを特徴とする。これは、ガイド壁の収斂する角度が急であったり段差になっていた場合に、裸光ファイバの先端が引っ掛かってしまい正常な案内ができなくなるためである。
【００３２】
ガイド壁の高さは被覆層用溝の上部から３００μｍ以上であることを特徴とする。これにより、裸光ファイバが楔挿入スリット側に飛び出ることが無い。
【００３３】
蓋の内側にガイド壁を収納する窪みが形成されたことを特徴とする。これにより、接続基盤と蓋とを確実に向き合わせることができる。
【００３４】
接続基盤と蓋とを組み立てた状態においてガイド壁と窪みの間に形成される
隙間の大きさが高さ方向に１００μｍ以下、幅方向に５０μｍ以下であることを
特徴とする。これにより、裸光ファイバのこぼれを確実に防止し、かつ蓋の開閉をスムーズに行うことができる。
【実施例１】
【００３５】
以下、本発明の一実施例を図１により説明する。図１において、図７〜図９に示したものと同一の符号は図７〜図９に示したものと同一物を示すものであり、その機能は略同一である。図１において、図７〜図９と大きく異なる点は、図１(イ)に示すように、接続基盤１０の被覆層用溝１３の楔挿入側に裸光ファイバが楔挿入側に逃げるのを防ぐためのガイド壁１７が設けられていること、及び被覆層用蓋３１の下面に前記ガイド壁１７を収納する窪み３４が形成されていることである（図(１)において陰影が施されている部分）。
【００３６】
また、被覆層用溝１３の後端側（光ファイバ心線挿入入り口側・光ファイバ挿入部）には、光ファイバ心線の挿入を容易にするために、その後端から中央部に向かう方向に先細りのテーパ13ａが形成され、光ファイバ心線を被覆層用溝１３に容易に誘導できるようになっている。更に被覆層用溝１３の先端側（接続基盤１０の中央部付近）は裸光ファイバ用溝１４に序々に連通するように２段の先細りのテーパ１３ｂ、１３ｃが形成され、これにより、裸ファイバの先端が裸光ファイバ用溝１４に容易に誘導されるようになっている。
【００３７】
ガイド壁１７はテーパ１３ａを避けて接続基盤１０の平面上に設置され、段階的に裸光ファイバ用溝１４に接近して行く形状となっている。楔は図１(ロ)の図面下方向から挿入されるため、接続基盤１０と被覆層用蓋３１との間に生じる隙間は、より楔に近い場所すなわち図面下方向において、より広くなっている。このため、ガイド壁１７は被覆層用溝より図面下方向の領域に、間隙なく設置されてメカニカルスプライス部からの光ファイバのこぼれを防止している。
【００３８】
また、被覆層用蓋３１の下面（接続基盤１０と接する面）には、光ファイバ心線の被覆層を収納するための被覆層収納窪み３５が形成されている。更に、その被覆層収納窪み３５の後端側（光ファイバ心線挿入入り口側）に、後端から中央部に向かう方向に先細りのテーパ３５ａが形成され、更にその先端側に先細りのテーパ３５ｂが形成され、これにより前記テーパ１３ａと相まって裸光ファイバの先端を裸光ファイバ用溝１４に誘導できるようになっている。
【００３９】
ガイド壁を収容する溝３４は、接続基盤１０と被覆層用蓋３１とを組み合わせた際にガイド壁１７と干渉しない最小限の大きさであることが望ましい。
【００４０】
これはガイド壁を収容する溝３４が大きすぎる場合には、ガイド壁１７とガイド壁を収容する溝３４との間に裸光ファイバが通り抜けることのできる空間ができてしまうため、ガイド壁１７による裸光ファイバのガイドができなくなるためである。他方、ガイド壁を収容する溝３４の大きさが狭く、ガイド壁１７とガイド壁を収容する溝３４との間隔があまりに近すぎると、楔挿入により被覆用蓋３１を開口させる際や、楔を抜去して被覆層用蓋３１を閉じる際に、ガイド壁１７と被覆層用蓋３１とが望まない箇所で干渉してしまい適正に動作しない恐れがあるためである。ガイド壁１７とガイド壁を収容する溝３４とのクリアランスは、水平方向については５０μｍ程度、垂直方向については５０〜１００μｍ程度であることが望ましい。またガイド壁１７が低すぎると被覆層用蓋３１を開口させたときに容易にガイド壁１７の上部に裸光ファイバが回りこんでしまうため、ある程度の高さを持っていることが望ましい。例えばガイド壁１７の高さは３００μｍ以上であることが望ましい。
【００４１】
前述のガイド壁１７を設けることによって、挿入された光ファイバの先端が被覆層用溝１３から外れてしまった場合でも、被覆層用蓋３１の最先端位置において、裸光ファイバの先端が裸光ファイバ用溝１４に近い位置に来るようにガイドすることができる。さらに、裸光ファイバ用蓋３２の後部に適当な大きさの半円錐状のテーパ構造を持たせておくことで、被覆層用溝１３から裸光ファイバ用溝１４に進行してきた裸光ファイバを確実に裸光ファイバ用溝１４に誘導して落としこむことができる。この際、裸光ファイバ用蓋３２の後部に形成するテーパの大きさは、被覆層用溝１３の先端の大きさよりも十分に大きくなるようにすることが望ましい。
【００４２】
図２(イ)、(ロ)、(ハ)はそれぞれ図１(ロ)に示す接続基盤１０の長手方向の異なる位置における断面図である。図２(イ)には、接続基盤１０の後部でテーパ１３ａを避けて被覆層用溝１３から遠い位置にガイド壁１７が形成され、裸光ファイバ用溝１４に近づくにつれて図２(ロ)、図２(ハ)に示すように段階的に被覆層用溝１３に接近している様子が示されている。これは導入テーパ部分とガイド壁が近接していると、フタ開口時にテーパ際からガイド壁の上部へ光ファイバが回り込んでしまう恐れがあり、そうなると裸光ファイバｆが被覆層用溝１３に案内されなくなってしまうためである。
【００４３】
ガイド壁１７は接続基盤１０の末端から先端側にかけて、接続基盤１０の中央に向かうに従って被覆層用溝１３に接近し、被覆層用蓋３１の設置範囲の最先端位置においては、該当位置の裸光ファイバ用溝１４の後端と隣接、または例えば５０μｍ等の近い距離にまで接近していることが望ましい。また、ガイド壁１７が接続基盤１０の中央に接近する過程において、ガイド壁１７が接続基盤１０の長手方向に対して急角度に屈曲する箇所があると、裸光ファイバの先端が引っ掛かり適切にガイドされない恐れがあるため、ガイド壁１７と接続基盤１０の中心線との成す角度は３０度を超えない範囲であることが望ましい。
【００４４】
図３は接続基盤１０、被覆層用蓋３１、裸光ファイバ用蓋３２を被覆層用押圧部材４１・裸光ファイバ用押圧部材４２で覆って、接続パーツ５０に組み立てた場合の一部断面側面図を示すものであり、外見上は従来の接続パーツと何ら変わる所が無い。
【００４５】
次に、メカニカルスプライス部に挿入された裸光ファイバがどのように裸光ファイバ用溝１４に誘導されるかについて図４により説明する。
図４(イ)は、本発明の一実施例における接続基盤１０の平面図を示すもので、図４（ロ）〜図４(ホ)は、それぞれメカニカルスプライス部に楔が挿入されて被覆層用蓋３１が開かれた状態での図４(イ)のそれぞれの位置における断面を示したものである。裸光ファイバｆは直径１２５μｍのものが示されている。図４(ロ)は図４(イ）のＡ−Ａ線における接続基盤と被覆層用蓋３１との関係を示す断面図であり、裸光ファイバｆは図中右側においては隙間が狭いため被覆層用溝１３際から外側に侵入することがないが、図中左側である楔挿入側においては被覆層用溝１３を外れて更に外側へ容易に進行できるが、ガイド壁１７と被覆層用蓋31とにより塞がれ、接続基盤１０の外に出ることがない。
【００４６】
なお、裸光ファイバｆの可動範囲を明確にするために図中では左右両側に裸光ファイバｆを図示しているが、現実のコネクタ組み立てで挿入される光ファイバ心線（コード）は１本である。
更に図４(ハ)（図４(イ)のＢ−Ｂ線における断面）、図４(ニ)（図４(イ)のＣ−Ｃ線における断面）へと進行するにつれ、ガイド壁１７が被覆層用溝１３に接近することによって裸光ファイバｆの可動範囲が縮小され、裸光ファイバｆは裸光ファイバ用溝１４に寄せられて行く。
【００４７】
図４(ホ）（図４(イ)のＤ−Ｄ断面）は裸光ファイバ用蓋３２に入った直後での断面図である。裸光ファイバ用蓋３２の入口に設けられたテーパ３２ａが、被覆層用蓋３１の先端位置（Ｃ−Ｃ断面に相当）における裸光ファイバｆの可動範囲をカバーする大きさになっているため、裸光ファイバ用蓋３２に導入された裸光ファイバｆは裸光ファイバ用蓋３２に設けられたテーパ３２ａが縮小していくことによって必ず裸光ファイバ用溝に落とし込まれる。
この構成によって、０．５ｍｍφ等の大きい径の光ファイバ心線でも、確実に裸光ファイバｆを裸光ファイバ用溝に誘導させることができる。
【実施例２】
【００４８】
図５は本発明の他の実施例を示すもので、ガイド壁１７が、楔挿入側だけに限らず、被覆層用溝１３の両側に形成されていても良い。これにより、接続基盤１０と被覆層用蓋３１との間隔が大きく開いても裸光ファイバが楔挿入側の反対側の隙間に入り込むことが無い。
【実施例３】
【００４９】
図６は本発明の更に他の実施例を示したもので、接続基盤１０に形成された被覆層用溝１３と裸光ファイバ用溝１４との間で２段構造になっているものを示したものである。ここでいう２段構造とは、これらの溝の間に不連続的に拡大するテーパ１３ｄが形成され、このテーパ１３ｄによって被覆層用溝１３が裸光ファイバ用溝１４につながっている構造である。このような構造は被覆層用蓋３１と裸光ファイバ用蓋３２との境で、溝を逸れた裸光ファイバを再度裸光ファイバ用溝１４に落とし込みやすくなり、望ましい。
【図面の簡単な説明】
【００５０】
【図１】本発明の一実施例を示すもので、イは蓋２０の底面図、ロは基盤１０の平面図である。
【図２】イ、ロ、ハはそれぞれ図１の要部箇所における断面図である。
【図３】図１の組立例を示す一部断面側面図である。
【図４】本発明の一実施例の動作を説明するためのもので、イは基盤の平面図、ロは図４(イ）のＡ-Ａ線における蓋と基盤との関係を示す切断端面図、ハは図４(イ）のＢ-Ｂ線における蓋と基盤との関係を示す切断端面図、ニは図４(イ）のＣ-Ｃ線における蓋と基盤との関係を示す切断端面図、ホは図４(イ）のＤ-Ｄ線における蓋と基盤との関係を示す切断端面図である。
【図５】本発明の他の実施例における基盤の平面図である。
【図６】本発明の更に他の実施例における基盤の平面図である。
【図７】従来の一例の要部分解斜視図である。
【図８】従来の更に発展させた例の分解斜視図である。
【図９】従来の一例における組立図である。
【図１０】イ、ロ、ハ、ニはそれぞれ従来一例における動作を説明するための説明図である。
【図１１】イ、ロ、ハ、ニはそれぞれ更に異なる従来例における動作を説明するための説明図である。
【符号の説明】
【００５１】
１０    接続基盤
１１    前部
１２    後部
１３    被覆層用溝
１３ａ    テーパ
１３ｂ    テーパ
１３ｃ    テーパ
１３ｄ    テーパ
１４    裸光ファイバ用溝
１５    切欠部
１６    鍔部
１７    ガイド壁
２０    フェルール
２１    内蔵光ファイバ
２２    一端
３０    蓋
３１    被覆層用蓋
３２    裸光ファイバ用蓋
３２ａ    テーパ
３３    切欠部
３４    ガイド壁を収容する溝
３５    被覆層収納窪み
３５ａ    テーパ
３５ｂ    テーパ
４０    押圧部材
４１    被覆層用押圧部材
４１'    開口部
４２    光ファイバ用押圧部材
４２'    開口部
５０    接続パーツ
６０    ストップリング
６１    開口
６２    係合突起
７０    スプリング
８０    プラグフレーム
８１    係合貫通孔
８２    係合凹部
９０    スライダ
１００    楔
１０１    差込部
１１０    接続アダプタ
１１１    一端
１１２    割スリーブ
１１３    他端
１１４    係合突起
Ｆ    光ファイバ心線
ｆ    裸光ファイバ
【図１】
2007101769.tif 000003
【図２】
2007101769.tif 000004
【図３】
2007101769.tif 000005
【図４】
2007101769.tif 000006
【図５】
2007101769.tif 000007
【図６】
2007101769.tif 000008
【図７】
2007101769.tif 000009
【図８】
2007101769.tif 000010
【図９】
2007101769.tif 000011
【図１０】
2007101769.tif 000012
【図１１】
2007101769.tif 000013